(57)【要約】【課題】光ピックアップヘッドを冷却する機構を備えた光ディスク装置を提供する。【解決手段】メカカバー１８には、光ピックアップヘッド１０ｈに移動可能な範囲に対向して開口部２０が形成されている。開口部２０は、光ディスクＤの半径方向に伸びた長方形状の孔もしくは長孔で、光ピックアップヘッド１０ｈの径方向の最大移動距離に合わせた長方形状の孔もしくは長孔とする。長方形状の孔もしくは長孔の上流側の長辺はわずかに下方向、すなわち光ディスクＤから離れる方向に折り曲げられている。もう一方の長辺の淵に沿って、断面がごくわずかにくの字状に幅方向で曲げられたシート１９が一部だけ固着されている。【選択図】図３
2008251058.tif 000002
【特許請求の範囲】
【請求項１】
回転する光ディスクの信号記録面にレーザ光を照射し、データを書き込みあるいは読み取る光ピックアップヘッドと、前記光ディスクを支持して回転制御する駆動機構と、前記光ピックアップを前記光ディスクの半径方向に移動可能に支持するメカ本体と、このメカ本体をカバーするメカカバーとを備え、
前記メカカバ−には、前記光ピックアップヘッドの移動可能な範囲に対向して、前記光ディスクの回転に伴って発生する空気流を取り込み、前記光ピックアップヘッドに導く開口部が形成されていることを特徴とする光ディスク装置。
【請求項２】
前記開口部は、前記光ディスクの半径方向に伸びた長孔であることを特徴とする請求項１記載の光ディスク装置。
【請求項３】
前記開口部は、前記光ピックアップヘッドの径方向の最大移動距離に合わせた長さとすることを特徴とする請求項１記載の光ディスク装置。
【請求項４】
前記開口部の上流側の長辺は、わずかに前記光ディスクから離れる方向に折り曲げられていることを特徴とする請求項１記載の光ディスク装置。
【請求項５】
断面が略くの字状に幅方向で曲げられ、前記開口部のもう一方の長辺の淵に沿って、一部だけ固着されるシートをさらに備えることを特徴とする請求項１記載の光ディスク装置。
【請求項６】
前記シートの前記開口部上に張り出して位置している部分は固着されておらず、固着部よりも、前記光ディスクの一面側に近づいていることを特徴とする請求項６記載の光ディスク装置。
【発明の詳細な説明】
【技術分野】
【０００１】
本発明は、光ディスク装置に関し、特に、光ピックアップヘッドを冷却する機構を備えた光ディスク装置に関する。
【背景技術】
【０００２】
光ディスクや光磁気ディスクといった光情報記録媒体を用いる光ディスク装置は、所定速度で回転駆動される光ディスクの信号記録面を、光ピックアップヘッドがレーザ光を照射しながら走査して信号を記録又は再生する。光ピックアップヘッドは、光ディスクの半径方向に搬送駆動され、光ディスクの信号記録面の所定トラックに信号を記録又は再生する。
【０００３】
光ピックアップヘッドは、内蔵するレーザ光源からのレーザ光を光ディスクの信号記録面に照射すると共に、光ディスクの信号記録面から反射されるレーザ光を受光する。
【０００４】
ところで、光ディスク装置の高速アクセス、高倍速化の要請に伴い、半導体レーザの安定した出力が重要になっている。それに伴い、光ピックアップ内のトラッキングコイルやフォーカシングコイル等に供給される電流も相当なレベルとなる。
【０００５】
特に、光ディスクにおいては、情報記録の際に、半導体レーザ素子は高出力が必要となるため、発熱量も増大する。そのため、放熱が十分に行われないと、熱により半導体レーザ素子の出力が低下したり、場合によっては、半導体レーザ素子の熱破壊が発生するという問題点があった。
【０００６】
また、光ディスク装置の光ピックアップヘッドのレーザ光源で発生した熱は、光学基台の変形を誘発する。光学基台が変形すると、光学基台に搭載されている各種光学部品の位置関係が変化してしまう。すなわち、光検出器に入射していたレーザ光の中心位置が所定の位置からずれてしまい、安定した信号が得られないという問題が発生する。また、光ピックアップヘッドの光源である半導体レーザの寿命は、接合部の温度と密接な関係があり、温度が高くなると、指数関数的に寿命が短くなるという問題が発生する。
【０００７】
そこで、温度上昇に伴う光ピックアップヘッドの光ディスク読み取り性能の劣化対策として、光ピックアップヘッドの冷却についての提案がなされている（例えば、特許文献１および特許文献２参照。）。
【特許文献１】特開平１０−１２４９１７号公報
【特許文献２】特開２００１−７６３６２号公報
【発明の開示】
【発明が解決しようとする課題】
【０００８】
特許文献１の発明では、光ピックアップヘッドの要冷却箇所を光ディスクの回転に伴って発生する空気流を導いて空冷するもので、レーザ光源である半導体レーザ素子を空冷している。
【０００９】
一方、特許文献２の発明では、光ディスクの回転に伴い発生する空気流により、光ピックアップヘッド内の対物レンズを空冷するものである。
【００１０】
しかしながら、従来の構成では、導風部材等の特別の部材を備えることにより半導体レーザ素子あるいは対物レンズの空冷に限るもので、光ピックアップヘッドの空冷対策は十分ではなかった。
【００１１】
そこで、本発明は、上記の問題を解決するものであり、レーザ光源等が強制的に冷却されるようにした光ディスク装置を提供することを目的としている。
【課題を解決するための手段】
【００１２】
本発明の一態様によれば、回転する光ディスクの信号記録面にレーザ光を照射し、データを書き込みあるいは読み取る光ピックアップヘッドと、前記光ディスクを支持して回転制御する駆動機構と、前記光ピックアップを前記光ディスクの半径方向に移動可能に支持するメカ本体と、このメカ本体をカバーするメカカバーとを備え、
前記メカカバ−には、前記光ピックアップヘッドの移動可能な範囲に対向して、前記光ディスクの回転に伴って発生する空気流を取り込み、前記光ピックアップヘッドに導く開口部が形成されていることを特徴とする光ディスク装置が提供される。
【００１３】
また、本発明の別の一態様によれば、断面が略くの字状に幅方向で曲げられ、前記開口部のもう一方の長辺の淵に沿って、一部だけ固着されるシートをさらに備えることを特徴とする光ディスク装置が提供される。
【発明の効果】
【００１４】
本発明によれば、光ディスクの回転に伴って発生する空気流を大量に取り込む構造によってレーザ光源等が強制的に冷却されるので、半導体レーザ素子の出力の低下が防止できるので、安定した記録再生を確保することができる。
【発明を実施するための最良の形態】
【００１５】
以下、本発明の実施の形態について、図面を参照しながら説明する。尚、各図において同一箇所については同一の符号を付すとともに、重複した説明は省略する。
【００１６】
図１は、所定速度で回転駆動される光ディスクの信号記録面に光ピックアップヘッドからレーザ光を照射しながら走査して信号を記録又は再生する光ディスク装置の光ピックアップ機構を、上方から見た斜視図である。光ディスク装置は、光ピックアップヘッドを搭載したキャリッジをベースシャーシ上の左右一対の案内レールに沿ってディスク半径方向に搬送駆動し、光ディスクの信号記録面の所定トラックに信号を読み書きする。
【００１７】
図１に示すように、光ピックアップ機構１０は、トラバース用メカシャーシ１１に光ピックアップヘッド１０ｈをディスク半径方向に搬送駆動する案内レールとしての駆動軸である主軸１３、ガイド部１４が配置される。そして、光ディスクにデータを読取りまたは書き込む光ピックアップヘッド１０ｈを搭載したピックアップベースである基台１２のガイド受け部１６および図示しない主軸側の軸受けは、光ピックアップヘッド１０ｈの自重あるいは押さえつけ用のバネ力により主軸１３、ガイド部１４と密着し摺動する。光ピックアップヘッド１０ｈは基台１２を介して主軸１３およびガイド部１４の二本のガイドにて支持され、主軸側の軸受け（図示せず。）には潤滑用メタルが組み込まれているが、ガイド部１４側のガイド受け部１６は主として金属鋳造品である基台１２が直接軸受けとなっている。
【００１８】
図１に示すように、光ピックアップ機構１０は、基本的に光ピックアップヘッド１０ｈを搭載した基台１２、案内レールである主軸１３、ガイド部１４、トラバース用のメカシャーシ１１から構成されている。
【００１９】
基台１２にはガイド受け部１６が設けられ、光ディスクにデータを読取りまたは書き込む光ピックアップヘッド１０ｈを搭載している。光ピックアップヘッド１０ｈには、図示しない半導体レーザダイオード、コリメータレンズ、ハーフプリズム、対物レンズ、フォーカスコイル、トラッキングコイル、集光レンズ、シリンドリカルレンズ、光検出器などが内蔵されている。
【００２０】
案内レールは、駆動軸である主軸１３およびガイド部１４から成っており、基台１２を光ディスクの記録面と平行な平面内を直線移動するように案内するものである。メカシャーシ１１は、主軸１３およびガイド部１４を介して光ディスクのラジアル方向に移動されるよう基台１２を支持する。基台１２の案内駆動は、精度良く駆動制御が可能なステッピングモータによる駆動が好適である。駆動軸である主軸１３は、例えば表面を研磨したステンレス棒で形成するのが好適である。
【００２１】
図２は、光ディスク装置本体からメカシャーシ１１が引き出された状態を示した斜視図である。光ディスクの装填あるいは取り出しの際には、光ディスク装置本体からメカシャーシ１１が引き出される。
【００２２】
図２において、光ディスクＤは、スピンドルモータＭによって高速回転される。メカカバー１８は、例えば板厚０．１ｍｍの鉄板製で、光ピックアップ機構１０等が搭載されたメカ部分（図示せず）をカバーするものである。スピンドルモータＭの高速回転によって発生した空気流は、メカカバー１８に形成された開口部２０によってメカカバー１８の下側に案内され、その先に位置する光ピックアップヘッド１０ｈの冷却を行う。
【００２３】
図３は、図２に示すＡ−Ａ’部分の断面図である。図３（Ａ）において、メカカバー１８には、光ピックアップ１０ｈの移動可能な範囲に対向して開口部２０が形成されている。開口部２０は、光ディスクＤの半径方向に伸びた長方形状の孔もしくは長孔で、光ピックアップヘッド１０ｈの径方向の最大移動距離に合わせた長方形状の孔もしくは長孔とするのが好適である。
【００２４】
本実施形態では、長方形状の孔もしくは長孔の上流側の長辺はわずかに下方向、すなわち光ディスクＤから離れる方向に折り曲げ部１８ａとして折り曲げられている。空気流Ｅを開口部２０に入りやすくする構造と、その案内先にある光ピックアップヘッド１０ｈの冷却効果を高めるためである。更に、もう一方の長辺の淵に沿って、断面がごくわずかにくの字状に幅方向で曲げられたシート１９が一部だけ固着されている。すなわち、シート１９の長方形状の孔もしくは長孔の上に張り出して位置している部分１９ｂは固着されておらず、固着部１９ａよりも、光ディスクＤの一面側に近づいている。
【００２５】
したがって、長孔の折り曲げ部１８ａとシートの非固着部１９ｂとで空気流の流路を形づくっている。シート１９は、その材質を、例えばラバーとするのが好適である。市販されている光ディスクＤには、若干のソリを生じているものも散見される。そこで、光ディスクＤが高速回転中に上下動して、仮にシートに接触しても、光ディスクＤが傷つかないようにするためである。
【００２６】
次に、このように構成された光ディスク装置における空冷作用について説明する。
【００２７】
光ディスクＤは、スピンドルモータＭによって、矢印Ｃ方向に高速回転される。すると、光ディスクＤの高速回転に伴い空気流Ｅが発生する。この空気流Ｅは、光ディスクＤの回転方向に流れる。メカカバー１８には、空気流を大量に取り込む開口部２０が形成されているので、空気流は、開口部２０に入り込むことになる。開口部２０に入り込んだ空気流Ｅは、光ピックアップヘッド１０ｈに当たり冷却する。
【００２８】
尚、上記したシート１９は不可欠のものではなく、省略することができる。すなわち、図３（Ｂ）に示す実施形態の場合には、光ディスクＤの回転に伴い、長孔の折り曲げ部１８ａに沿って空気流Ｅが流れ、光ピックアップヘッド１０を冷却する。
【００２９】
また、図３（Ｃ）に示す実施形態のように、メカカバー１８への開口部２０の形成を簡単にする場合には、長孔の折り曲げ部を省略してもよい。この実施形態の場合でも、光ディスクＤの回転に伴い、空気流Ｅが開口部２０すなわち長孔に流れ、光ピックアップヘッド１０ｈを冷却する。
【００３０】
以上説明したように、本実施の形態では、特別な導風部材を備えることなく、光ディスクの回転に伴い発生する空気流を光ピックアップヘッドに効果的に当てることができるので、半導体レーザ素子の出力の低下が防止できるので、安定した記録再生を確保することができる。
【００３１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３２】
【図１】光学ピックアップ機構を上方から見た斜視図である。
【図２】光ディスク装置本体から、メカシャーシを引き出した状態を示す図である。
【図３】光学ピックアップ機構の要部のＸ−Ｘ断面図である。
【符号の説明】
【００３３】
１０・・・光ピックアップ機構、１０ｈ・・光ピックアップヘッド、１１・・・メカシャーシ、１２・・・基台、１３・・・主軸（駆動軸）、１４・・・ガイド部、１５・・・摺動性部材、１６・・・ガイド受け部、１８・・・メカカバー、１８ａ・・・折り曲げ部、１９・・・シート、１９ａ・・・固着部、１９ｂ・・・非固着部、２０・・・開口部、Ｃ・・・光ディスク回転方向、Ｄ・・・光ディスク、Ｅ・・・空気流、Ｍ・・・ステッピングモータ。
【図１】
2008251058.tif 000003
【図２】
2008251058.tif 000004
【図３】
2008251058.tif 000005